(57)【特許請求の範囲】
【請求項１】
操作入力が行われる操作端末部と、
前記操作端末部とは別体であって貨幣の取扱い処理を行う貨幣処理部と、
前記操作端末部と前記貨幣処理部とを通信可能に結合する通信手段と、
を備えた貨幣処理システムであって、
前記操作端末部は、
操作入力が行われると、当該操作入力に関連する通信データを前記通信手段を通して前記貨幣処理部に向けて発行する操作端末部制御手段と、
警報を報知する操作端末部報知手段と、
を備え、
前記貨幣処理部は、
前記操作端末部制御手段から前記通信手段を通して発行された前記通信データを認識する認識手段と、
前記通信データの中の少なくとも一部のデータに対応する認証情報を予め記憶する記憶手段と、
認証情報が入力される入力手段と、
前記認識手段が前記通信データを認識した際に、該通信データの中の前記少なくとも一部のデータに対応して前記記憶手段に記憶された認証情報と、前記入力手段に入力された認証情報とを比較し、これら認証情報の一致を確認した場合のみ、前記認識手段で認識した前記通信データに基づいて前記取扱い処理を制御する貨幣処理部制御手段と、
警報を報知する貨幣処理部報知手段と、
を備え、
前記貨幣処理部制御手段は、前記認識手段が前記通信データを認識した時点から所定時間内に前記一致を確認しなかった場合、および、前記認識手段が前記通信データを認識した時点から所定回数連続して前記一致を確認しなかった場合には、前記貨幣処理部報知手段に警報を報知させるとともに、前記操作端末部制御手段によって前記操作端末部報知手段に警報を報知させることを特徴とする貨幣処理システム。
【請求項２】
前記操作端末部は、操作者の操作者ＩＤを含む認証を行う認証手段を有し、
前記少なくとも一部のデータは、前記操作者ＩＤであることを特徴とする請求項１記載の貨幣処理システム。
【請求項３】
前記少なくとも一部のデータは、前記取扱い処理の特定の処理情報であることを特徴とする請求項１記載の貨幣処理システム。
【請求項４】
前記貨幣処理部制御手段は、前記取扱い処理が貨幣を機内から機外へ移動させる処理である場合に限り、前記一致の確認を条件として前記取扱い処理を行うことを特徴とする請求項１乃至３のいずれか一項記載の貨幣処理システム。
【請求項５】
前記貨幣処理部制御手段は、前記認識手段が前記通信データを認識した時点から所定時間内に、前記一致を確認した場合には、前記通信手段を通して前記操作端末部に向けて、前記通信データを正常に受け付けた旨を応答することを特徴とする請求項１乃至４の何れか一項記載の貨幣処理システム。
【請求項６】
前記認証情報を前記記憶手段に記憶する登録モードの際に、前記認証情報と前記少なくとも一部のデータとを関連付けて前記記憶手段に記憶させる登録手段を備えたことを特徴とする請求項１乃至５の何れか一項記載の貨幣処理システム。
【請求項７】
前記登録モードの実行には、少なくとも管理者ＩＤを必要とすることを特徴とする請求項６記載の貨幣処理システム。
【発明の詳細な説明】
【技術分野】
【０００１】
本発明は、貨幣を少なくとも出金可能な貨幣処理システムに関する。
【背景技術】
【０００２】
貨幣処理機においては、例えば、宅配便のドライバである担当者が顧客から代金引換で回収した代金を入金したり、代金引換のための釣銭準備金を仮払いしたり、また管理者が釣銭準備金を補充したり、売上金を収納したり、さらには警備会社の売上金回収担当者が売上金を回収したり、というように、１台の貨幣処理機を、権限の異なる複数の操作者で複数の操作用途に使用可能とされたものが知られている。このような貨幣処理機では、各操作者ごとに操作可能な権限を予め付与しておき、操作者の認証確認が取得できた場合のみに当該操作者に与えられた権限の範囲内で使用可能な操作を許諾する技術が導入されている（例えば、特許文献１参照）。
【先行技術文献】
【特許文献】
【０００３】
【特許文献１】特開２０１１−１９７７６２号公報
【発明の概要】
【発明が解決しようとする課題】
【０００４】
このような貨幣処理機においては、一つの筐体内に全すべて組み込まれたスタンドアローンの形態ではなく、貨幣処理部は貨幣処理機メーカー製、操作端末部は上位端末メーカー製というように分離タイプであって、各々を通信にて結合するシステム形態のものも存在する。そして、この分離タイプのものにおいても、上述した技術を採用する際には、通常、上記の操作可能な権限の付与や操作者の認証確認等の操作に係るセキュリティの部分は操作端末部側に担当させ、操作端末部側からの通信データ指令によって貨幣処理部が動作するようになっている。
【０００５】
ところで、スタンドアローンの形態では一つの筐体内に貨幣処理部と操作端末部とこれらの通信部とが内蔵されているため問題ないが、貨幣処理部と操作端末部とが分離されていると、通信部が外部にあってアクセス可能であり、上記通信データが通信ラインモニタ等で盗聴され解析されてしまう可能性がある。このような状況が生じると、例えば管理者でしか実行できない貨幣処理機内の貨幣を全て機外へ回収する際に必要な通信データや、例えば警備会社の売上金回収担当者しか実行できない売上金が格納された金庫の抜き取りを行う際に必要な通信データ等を予め用意した通信シミュレータに格納しておいて、上記操作端末部にかえて当該通信シミュレータに通信ケーブルを繋ぎ替えれば、不正な操作が行われてしまう可能性があった。上記のような通信データの盗聴および解析を防止する目的で、通信データを暗号化・複合化する方法も考えられるが、この暗号化・複合化処理で対応すると、操作端末部側および貨幣処理部側でハード面およびソフト面に係る開発工数の大きな負担を伴ってしまう。
【０００６】
したがって、本発明は、開発工数の大きな負担を伴うことなく、セキュリティ性を向上させることができる貨幣処理システムの提供を目的とする。
【課題を解決するための手段】
【０００７】
上記目的を達成するために、請求項１に係る発明は、操作入力が行われる操作端末部と、前記操作端末部とは別体であって貨幣の取扱い処理を行う貨幣処理部と、前記操作端末部と前記貨幣処理部とを通信可能に結合する通信手段と、を備えた貨幣処理システムであって、前記操作端末部は、操作入力が行われると、当該操作入力に関連する通信データを前記通信手段を通して前記貨幣処理部に向けて発行する操作端末部制御手段と、警報を報知する操作端末部報知手段と、を備え、前記貨幣処理部は、前記操作端末部制御手段から前記通信手段を通して発行された前記通信データを認識する認識手段と、前記通信データの中の少なくとも一部のデータに対応する認証情報を予め記憶する記憶手段と、認証情報が入力される入力手段と、前記認識手段が前記通信データを認識した際に、該通信データの中の前記少なくとも一部のデータに対応して前記記憶手段に記憶された認証情報と、前記入力手段に入力された認証情報とを比較し、これら認証情報の一致を確認した場合のみ、前記認識手段で認識した前記通信データに基づいて前記取扱い処理を制御する貨幣処理部制御手段と、警報を報知する貨幣処理部報知手段と、を備え、前記貨幣処理部制御手段は、前記認識手段が前記通信データを認識した時点から所定時間内に前記一致を確認しなかった場合、および、前記認識手段が前記通信データを認識した時点から所定回数連続して前記一致を確認しなかった場合には、前記貨幣処理部報知手段に警報を報知させるとともに、前記操作端末部制御手段によって前記操作端末部報知手段に警報を報知させることを特徴とする。
【０００８】
請求項２に係る発明は、請求項１に係る発明において、前記操作端末部は、操作者の操作者ＩＤを含む認証を行う認証手段を有し、前記少なくとも一部のデータは、前記操作者ＩＤであることを特徴とする。
【０００９】
請求項３に係る発明は、請求項１に係る発明において、前記少なくとも一部のデータは、前記取扱い処理の特定の処理情報であることを特徴とする。
【００１０】
請求項４に係る発明は、請求項１乃至３のいずれか一項に係る発明において、前記制御手段は、前記取扱い処理が貨幣を機内から機外へ移動させる処理である場合に限り、前記一致の確認を条件として前記取扱い処理を行うことを特徴とする。
【００１１】
請求項５に係る発明は、請求項１乃至４のいずれか一項に係る発明において、前記制御手段は、前記認識手段が前記通信データを認識した時点から所定時間内に、前記一致を確認した場合には、前記通信手段を通して前記操作端末部に向けて、前記通信データを正常に受け付けた旨を応答することを特徴とする。
【００１３】
請求項６に係る発明は、請求項１乃至５の何れか一項に係る発明において、前記認証情報を前記記憶手段に記憶する登録モードの際に、前記認証情報と前記少なくとも一部のデータとを関連付けて前記記憶手段に記憶させる登録手段を備えたことを特徴とする。
【００１４】
請求項７に係る発明は、請求項６に係る発明において、前記登録モードの実行には、少なくとも管理者ＩＤを必要とすることを特徴とする。
【発明の効果】
【００１５】
請求項１に係る発明によれば、操作端末部に操作入力が行われると、操作端末部は、当該操作入力に関連する通信データを発行手段が通信手段を通して貨幣処理部に向けて発行し、貨幣処理部が、その認識手段によって上記の通信データを認識することになる。貨幣処理部には、記憶手段に、通信データの中の少なくとも一部のデータに対応する認証情報が予め記憶されており、入力手段に認証情報が入力されると、制御手段が、認識手段が認識した通信データの中の少なくとも一部のデータに対応して記憶手段に記憶された認証情報と、入力手段に入力された認証情報とを比較し、これら認証情報の一致を確認した場合のみ、認識手段で認識した通信データに基づいて取扱い処理を行うことになる。よって、仮に、操作端末部にかえて通信シミュレータに通信ケーブルを繋ぎ替える等の不正操作があったとしても、貨幣処理部単独での認証がない限り、取扱い処理を行うことはない。したがって、セキュリティ性を向上させることができる。また、貨幣処理部に、通信データの中の少なくとも一部のデータに対応する認証情報を予め記憶する記憶手段と、認証情報が入力される入力手段と、これら認証情報の一致を確認する制御手段とを設ければ良く、通信データを暗号化・複合化する場合等に比べて、開発工数の負担を軽減できる。
所定時間内に上記した認証情報の一致を確認しなかった場合、または所定回数連続して上記した認証情報の一致を確認しなかった場合（不一致を確認した場合）には、報知手段が警報を報知することになる。したがって、それ以上不正に操作されることを防止することができる。
【００１６】
請求項２に係る発明によれば、操作端末部に操作者ＩＤを含んで操作入力が行われると、操作端末部は、当該操作入力に関連する操作者ＩＤを含む通信データを発行手段が通信手段を通して貨幣処理部に向けて発行し、貨幣処理部が、その認識手段によって上記の通信データを認識することになる。貨幣処理部には、記憶手段に、通信データの中の操作者ＩＤに対応する認証情報が予め記憶されており、入力手段に認証情報が入力されると、制御手段が、認識手段が認識した通信データの中の操作者ＩＤに対応して記憶手段に記憶された認証情報と、入力手段に入力された認証情報とを比較し、これら認証情報の一致を確認した場合のみ、認識手段で認識した通信データに基づいて取扱い処理を行うことになる。このように、操作端末部を使用する上で本来必要な操作者ＩＤを用いるため、操作端末部への入力の負担を軽減できる。
【００１７】
請求項３に係る発明によれば、操作端末部に取扱い処理の特定の処理情報を含んで操作入力が行われると、操作端末部は、当該操作入力に関連する取扱い処理の特定の処理情報を含む通信データを発行手段が通信手段を通して貨幣処理部に向けて発行し、貨幣処理部が、その認識手段によって上記の通信データを認識することになる。貨幣処理部には、記憶手段に、通信データの中の取扱い処理の特定の処理情報に対応する認証情報が予め記憶されており、入力手段に認証情報が入力されると、制御手段が、認識手段が認識した通信データの中の取扱い処理の特定の処理情報に対応して記憶手段に記憶された認証情報と、入力手段に入力された認証情報とを比較し、これら認証情報の一致を確認した場合のみ、認識手段で認識した通信データに基づいて取扱い処理を行うことになる。操作端末部が貨幣処理部に取扱い処理を行わせるにあたって本来必要な特定の処理情報を用いることにより、操作端末部への入力の負担を軽減できる。
【００１８】
請求項４に係る発明によれば、制御手段は、取扱い処理が貨幣を機内から機外へ移動させる処理である場合に限り、上記した認証情報の一致の確認を条件とするため、貨幣処理部の在り高が減少する制御のみが保護対象になる。したがって、簡略化して運用することができる。
【００１９】
請求項５に係る発明によれば、認識手段が通信データを認識した時点から所定時間内に、上記した認証情報の一致を確認した場合には、操作端末部に向けて、通信データを正常に受け付けた旨を応答するため、操作端末部側でも操作結果が正常であったことを確認できる。
【００２１】
請求項６に係る発明によれば、登録モードにおいて、登録手段が、認証情報と通信データの中の少なくとも一部のデータとを関連付けて記憶手段に記憶させるため、登録モードにおいて、明確に認証情報と通信データの少なくとも一部のデータとを関連付けて記憶手段に記憶させることができる。
【００２２】
請求項７に係る発明によれば、登録モードの実行には、少なくとも管理者ＩＤを必要とするため、登録の際のセキュリティ性が高まる。
【図面の簡単な説明】
【００２３】
【図１】本発明に係る一実施形態の貨幣処理システムを示す制御系ブロック図である。
【図２】本発明に係る一実施形態の貨幣処理システムを構成する硬貨入出金部を概略的に示す側断面図である。
【図３】本発明に係る一実施形態の貨幣処理システムを構成する硬貨入出金部を概略的に示す平断面図である。
【図４】本発明に係る一実施形態の貨幣処理システムを構成する硬貨入出金部を概略的に示す平断面図である。
【図５】本発明に係る一実施形態の貨幣処理システムを構成する紙幣入出金部を概略的に示す側断面図である。
【図６】本発明に係る一実施形態の貨幣処理システムの運用モードの案内画面を示す正面図である。
【図７】本発明に係る一実施形態の貨幣処理システムの通信データを概念的に示す図である。
【図８】本発明に係る一実施形態の貨幣処理システムの登録モードの案内画面を示す正面図である。
【発明を実施するための形態】
【００２４】
本発明に係る一実施形態の貨幣処理システムを図面を参照して以下に説明する。本実施形態の貨幣処理システム１は、例えば、宅配便の基地センタに設置され、宅配便のドライバである担当者が顧客から代金引換で回収した代金を入金したり、代金引換のための釣銭準備金を仮払いしたりする際に用いられるものである。また、本実施形態の貨幣処理システム１は、担当者および貨幣処理システム１の管理者とは別の回収者（例えば警備会社の売上金回収担当者）によって、回収した代金である売上金が金庫の交換によって回収されるようになっている。
【００２５】
図１に示すように、本実施形態の貨幣処理システム１は、貨幣のうちの硬貨の取扱い処理を行う硬貨入出金部１０と、貨幣のうちの紙幣の取扱い処理を行う紙幣入出金部１１とが一体に並設された貨幣処理装置部（貨幣処理部）１２と、貨幣処理装置部１２とは別に製造され貨幣処理装置部１２上に搭載されて、操作者による操作入力が行われる操作端末装置部（操作端末部）１３と、操作端末装置部１３と貨幣処理装置部１２とを通信可能に結合する通信ケーブル（通信手段）１４とを有するものである。通信ケーブル１４は、一端に設けられたコネクタ部１４ａで操作端末装置部１３のコネクタ部１３ａに着脱可能に接続され、他端に設けられたコネクタ部１４ｂで貨幣処理装置部１２のコネクタ部１２ａに着脱可能に接続されている。なお、以下の説明において、前は貨幣処理システム１の操作者側（手前側）、後は貨幣処理システム１の操作者に対し反対側（奥側）である。
【００２６】
まず、硬貨入出金部１０について図１〜図４を参照して説明する。
【００２７】
図２に示すように、硬貨入出金部１０には、その前側（図２の左側）の上部に、複数金種が混在する金種混合状態で硬貨が機外から一括投入され、このように投入された硬貨を貯留しつつ一枚ずつ分離して繰り出す硬貨入金口１５が設けられており、硬貨入金口１５の下側に、機内からリジェクトされたリジェクト硬貨を機外に取出可能に貯留する硬貨リジェクト口１６が設けられ、その下側に、機内から出金された硬貨を機外に取出可能に貯留する硬貨出金口１７が設けられている。さらに、硬貨入出金部１０には、硬貨出金口１７の下側に、硬貨を金種混合状態で一時貯留する硬貨一時貯留部１８が設けられ、この硬貨一時貯留部１８の下側に、返却時に硬貨一時貯留部１８から硬貨を受け取って金種混合状態で貯留する返却箱１９と、硬貨一時貯留部１８から硬貨を受け取って金種混合状態で収納する硬貨収納庫２０とが設けられている。これら返却箱１９および硬貨収納庫２０は、貨幣処理装置部１２に対して着脱可能となっている。よって、硬貨一時貯留部１８は、硬貨を返却箱１９を介して返却可能となるように一時貯留するとともに、一時貯留した硬貨を硬貨収納庫２０に収納可能となっている。
【００２８】
硬貨入出金部１０は、図３に示すように、硬貨入金口１５に投入された硬貨を左右方向一側に搬送する第１搬送部２５と、この第１搬送部２５の下流側に接続され、この第１搬送部２５から硬貨を受け取り水平方向において鋭角に折り返しつつ後方に搬送する第２搬送部２６とを有する入金硬貨搬送部２７を備えている。
【００２９】
硬貨入金口１５は、硬貨が外から投入されるとともに投入された硬貨を下方に案内する筒状のホッパ部３０と、硬貨入金口１５の底部を形成するようにホッパ部３０の下方に設けられこの位置から側方に延出してこの延出方向に硬貨を搬送する無端のベルトコンベア３１と、ベルトコンベア３１の上側に配置され、ベルトコンベア３１の搬送方向とは逆方向に対向部分を移動させる図示せぬ分離ローラと、ベルトコンベア３１および分離ローラを正逆駆動する共通の駆動源である図１に示す入金硬貨繰出駆動部３２とを有している。硬貨入金口１５は、ホッパ部３０に投入された硬貨を、入金硬貨繰出駆動部３２の駆動力で回転するベルトコンベア３１によりその延在方向に送り途中位置に設けられた図示せぬ分離ローラで一枚ずつに分離してさらに下流側に繰り出す。
【００３０】
硬貨入金口１５のベルトコンベア３１は、硬貨入金口１５を構成する一方で、この硬貨入金口１５に投入された硬貨を搬送する上記した第１搬送部２５をも構成している。ベルトコンベア３１で構成される第１搬送部２５の終点部には、ベルトコンベア３１から硬貨を受け取って機体後方に搬送する第２搬送部２６の搬送路３３の始点部が接続されている。
【００３１】
第２搬送部２６は、第１搬送部２５のベルトコンベア３１から搬送路３３上に移送された硬貨を搬送路３３に上側から押し付けながら両側の壁部３５，３６で案内しつつ搬送路３３に沿って搬送する複数の移送ベルト３７，３８と、これら移送ベルト３７，３８を駆動する図１に示す入金硬貨搬送駆動部３９とを有している。
【００３２】
移送ベルト３７，３８は、直線状に延在する搬送路３３に対し若干傾斜する直線状に設けられており、硬貨を幅寄せするように片側の壁部３５に押し付けながら搬送するようになっている。
【００３３】
搬送路３３には、その上流側に、硬貨入金口１５から繰り出されて第１搬送部２５および第２搬送部２６で搬送される硬貨の磁気的性質や画像あるいは外径等を検出することでその金種の識別および金種別の計数等を行う硬貨識別部４４が設けられ、この硬貨識別部４４の下流側には硬貨識別部４４の識別結果に基づいて偽硬貨等の受け入れ不可なリジェクト硬貨を搬送路３３から排除可能な開閉リジェクト部４５が設けられている。この開閉リジェクト部４５は、搬送路３３に形成されたリジェクト孔４６およびこれを開閉させるシャッタ４７を有している。
【００３４】
また、搬送路３３には、この開閉リジェクト部４５の下流側に、硬貨識別部４４で正常と識別された受け入れ可能な受入硬貨を搬送路３３から落下可能な開閉選別部５０が設けられている。この開閉選別部５０は、搬送路３３に形成された全金種の硬貨を落下可能な選別孔５１およびこれを開閉させるシャッタ５２を有しており、硬貨識別部４４で正常と識別された硬貨のうち、後述する金種別の硬貨出金収納部７０〜７５に収納しない非環流の硬貨を、図２に示す硬貨一時貯留部１８に貯留させる。つまり、ここでは、出金用として収納しきれないオーバーフロー硬貨を硬貨一時貯留部１８に直接貯留させる。
【００３５】
搬送路３３には、この開閉選別部５０の下流側に選別孔５３〜５８が形成されている。これら選別孔５３〜５８は硬貨を外径で選別する。つまり、基準面となる左側の壁部３５で案内されて移動する硬貨を外径の小さい順に選別するように、硬貨の搬送方向に沿って上流側から下流側に、１円硬貨用の最も小さい選別孔５３、選別孔５３よりも大きい、５０円硬貨用の選別孔５４、選別孔５４よりも大きい、５円硬貨用の選別孔５５、選別孔５５よりも大きい、１００円硬貨用の選別孔５６、選別孔５６よりも大きい、１０円硬貨用の選別孔５７、選別孔５７よりも大きい、５００円硬貨用の選別孔５８が、この順番に形成されている。つまり、選別孔５３〜５８は、硬貨識別部４４で正常と識別された硬貨を金種別に振り分ける。
【００３６】
開閉リジェクト部４５の上流側の直前位置には通過する硬貨を検出する硬貨検出センサ４５Ａが設けられており、開閉選別部５０の上流側の直前位置には同様の硬貨検出センサ５０Ａが、選別孔５３の上流側の直前位置には同様の硬貨検出センサ５３Ａが、選別孔５４の上流側の直前位置には同様の硬貨検出センサ５４Ａが、選別孔５５の上流側の直前位置には同様の硬貨検出センサ５５Ａが、選別孔５６の上流側の直前位置には同様の硬貨検出センサ５６Ａが、選別孔５７の上流側の直前位置には同様の硬貨検出センサ５７Ａが、選別孔５８の上流側の直前位置には同様の硬貨検出センサ５８Ａが、それぞれ設けられている。硬貨検出センサ４５Ａ，５０Ａは硬貨の検出数の差から開閉リジェクト部４５で落下した硬貨の数を計数することになり、硬貨検出センサ５０Ａ，５３Ａは開閉選別部５０で落下した硬貨の数を、硬貨検出センサ５３Ａ，５４Ａは選別孔５３で落下した硬貨の数を、硬貨検出センサ５４Ａ，５５Ａは選別孔５４で落下した硬貨の数を、硬貨検出センサ５５Ａ，５６Ａは選別孔５５で落下した硬貨の数を、硬貨検出センサ５６Ａ，５７Ａは選別孔５６で落下した硬貨の数を、硬貨検出センサ５７Ａ，５８Ａは選別孔５７で落下した硬貨の数を、硬貨検出センサ５８Ａは選別孔５８で落下した硬貨の数を、それぞれ計数することになる。
【００３７】
開閉選別部５０の直下には図２に示すシュート５９が、選別孔５３の直下にはシュート６０が、選別孔５４の直下にはシュート６１が、選別孔５５の直下にはシュート６２が、選別孔５６の直下にはシュート６３が、選別孔５７の直下にはシュート６４が、選別孔５８の直下にはシュート６５が、それぞれ設けられている。シュート５９の下側に硬貨一時貯留部１８が設けられており、シュート６０〜６５の下側には、図４に示すようにそれぞれが前後方向に沿う状態で左右方向に並べられた複数具体的には６カ所の硬貨出金収納部７０〜７５が設けられている。硬貨出金収納部７０〜７５は、金種別のもので、選別孔５３〜５８で振り分けられた硬貨を繰り出し可能に収納する。
【００３８】
具体的に、選別孔５３から落下された１円硬貨はシュート６０を介して左右方向一端の硬貨出金収納部７０に、選別孔５４で落下された５０円硬貨はシュート６１を介して硬貨出金収納部７１に、選別孔５５で落下された５円硬貨はシュート６２を介して硬貨出金収納部７２に、選別孔５６で落下された１００円硬貨はシュート６３を介して硬貨出金収納部７３に、選別孔５７で落下された１０円硬貨はシュート６４を介して硬貨出金収納部７４に、選別孔５８で落下された５００円硬貨はシュート６５を介して硬貨出金収納部７５に貯留される。なお、開閉リジェクト部４５で落下された硬貨は図２に示すリジェクトシュート７６で前側の硬貨リジェクト口１６に案内される。
【００３９】
各硬貨出金収納部７０〜７５は、それぞれの底部を形成するように前後方向に延在する状態で左右方向に並設されて回転時に硬貨出金口１７側に硬貨を搬送する無端のベルトコンベア７７と、ベルトコンベア７７の搬送方向とは逆方向に対向部分を移動させるように回転する分離ローラ７８と、ベルトコンベア７７および分離ローラ７８を正逆駆動する共通の駆動源である図１に示す出金硬貨搬送駆動部７９とを有している。
【００４０】
ここで、図２に示すように、ベルトコンベア７７は、下流側が上側に位置するように傾斜しており、その上部側所定位置に上記した分離ローラ７８が配置されている。
【００４１】
そして、硬貨出金収納部７０〜７５は、出金硬貨搬送駆動部７９の駆動力によりすべてのベルトコンベア７７を一度に回転させることで硬貨を硬貨出金口１７側に搬送することになり、このとき、それぞれの分離ローラ７８が、硬貨出金口１７側に繰り出される硬貨を一枚ずつに分離する。
【００４２】
図４に示すように、硬貨出金収納部７０は、分離ローラ７８よりも下流側でベルトコンベア７７に向けて上から図示せぬピンを進退させることで硬貨の繰り出しを規制および許容するソレノイド８０と、ソレノイド８０の駆動でベルトコンベア７７から硬貨出金口１７に向けて繰り出される硬貨の金種を識別しつつ計数する磁気センサからなる出金計数センサ７０Ａとを有している。同様に、硬貨出金収納部７１はソレノイド８１および出金計数センサ７１Ａを、硬貨出金収納部７２はソレノイド８２および出金計数センサ７２Ａを、硬貨出金収納部７３はソレノイド８３および出金計数センサ７３Ａを、硬貨出金収納部７４はソレノイド８４および出金計数センサ７４Ａを、硬貨出金収納部７５はソレノイド８５および出金計数センサ７５Ａを、それぞれ有している。
【００４３】
硬貨出金収納部７０〜７５と硬貨出金口１７との間には、図２に示すように、硬貨出金収納部７０〜７５から繰り出された硬貨を案内するシュート部９０が設けられており、このシュート部９０には、シュート部９０の下部を開閉する振分部材９１を、ソレノイド等の電気的駆動で揺動させることで、閉じて硬貨を硬貨出金口１７に案内する状態と、開いて硬貨を下方に落下させる状態とに切り換える振分部９２が設けられている。振分部材９１を開状態とすることで、シュート部９０の硬貨をシュート９４で案内して硬貨一時貯留部１８に落下させる。よって、硬貨出金口１７は、金種別の硬貨出金収納部７０〜７５から繰り出された硬貨を機外に払い出すことになり、硬貨一時貯留部１８は、金種別の硬貨出金収納部７０〜７５から繰り出された硬貨を一時貯留することになる。そして、硬貨収納庫２０は、硬貨一時貯留部１８で一時貯留されることになった、金種別の硬貨出金収納部７０〜７５から繰り出された硬貨を収納する。
【００４４】
硬貨一時貯留部１８は、上下に開口する筒状の囲壁部９５と、囲壁部９５の下部開口を閉塞可能な底板９６とを有している。囲壁部９５は、図１に示す壁スライド部９７の駆動で前後方向にスライドし、底板９６は底板スライド部９８の駆動で前後方向にスライドすることになる。
【００４５】
図２に示すように、硬貨一時貯留部１８の下側には、硬貨一時貯留部１８の硬貨を返却する上記した返却箱１９と、上下に開口する筒状のシュート９９とが前後に並設されており、シュート９９の下側に、硬貨一時貯留部１８の硬貨を収納する上記した硬貨収納庫２０が配置されている。
【００４６】
硬貨一時貯留部１８は、囲壁部９５および底板９６が可動範囲の中央位置にある待機状態では、シュート９４で案内されて落下する硬貨を受け取って貯留することになり、この待機状態から、囲壁部９５が返却箱１９の方向にスライドし、底板９６が返却箱１９とは反対方向にスライドすることで、硬貨を返却箱１９に放出する一方、待機状態から、囲壁部９５がシュート９９の方向にスライドし、底板９６がシュート９９とは反対方向にスライドすることで、硬貨をシュート９９に放出しシュート９９を介して硬貨収納庫２０に収納する。
【００４７】
硬貨収納庫２０は、硬貨入出金部１０内で入金のみが可能な金種混合の収納庫であり、硬貨入出金部１０に取り付けられた状態でシュート９９を介して上部の開口部１００から硬貨を受け入れる。つまり、硬貨収納庫２０は、硬貨出金収納部７０〜７５から繰り出された硬貨を収納する。ここで、開口部１００には、これを開閉するシャッタ１０１が設けられており、このシャッタ１０１は、硬貨収納庫２０が硬貨入出金部１０に装填されると、この装填動作に連動して開口部１００を開き、硬貨収納庫２０が硬貨入出金部１０から取り外されると、この取り外し動作に連動して開口部１００を閉じる。また、取り出された硬貨収納庫２０は、図示せぬキーのキー操作によって、図示せぬ扉を開くことにより中に収納された硬貨が取り出し可能となる。硬貨入出金部１０の硬貨収納庫２０の下方には、棒金を収納する棒金保管庫１０２が設けられている。
【００４８】
次に、紙幣入出金部１１について主に図１および図５を参照して説明する。
【００４９】
紙幣入出金部１１は、図５に示すように、前側（図５の左側）の上部に、複数金種が混在する金種混合状態で紙幣が一括投入され、投入された紙幣を貯留する紙幣入金口１２１が設けられており、その下側に、機内から繰り出された紙幣を機外に取出可能に貯留する紙幣出金口１２２が設けられている。さらに、この紙幣出金口１２２の下側には、機体に対して引き出し可能であり紙幣を返却可能に金種混合状態で一時貯留する紙幣一時貯留部１２４と、この紙幣一時貯留部１２４から紙幣を受け取って金種混合状態で収納する、機体に対して着脱可能な紙幣収納庫１２５とが設けられている。よって、紙幣一時貯留部１２４は、紙幣を返却可能に一時貯留するとともに、一時貯留した紙幣を紙幣収納庫１２５に収納可能となっている。
【００５０】
紙幣入出金部１１は、紙幣入金口１２１に投入された紙幣を一枚ずつに分離して繰り出す入金紙幣繰出部１３０と、この入金紙幣繰出部１３０で繰り出された紙幣を搬送する入金紙幣搬送路１３１と、入金紙幣搬送路１３１の途中に設けられて搬送中の紙幣を識別し、正常と識別された紙幣を金種毎に計数する紙幣識別部１３２とを有している。
【００５１】
また、紙幣入出金部１１は、入金紙幣搬送路１３１の紙幣識別部１３２よりも下流側に設けられた振分部１３４と、入金紙幣搬送路１３１の振分部１３４の位置から分岐するリジェクト紙幣搬送路１３５とを有している。リジェクト紙幣搬送路１３５は紙幣出金口１２２に接続する出金紙幣搬送路１３６に合流しており、振分部１３４は、紙幣識別部１３２の識別結果に応じて、識別不能券および搬送異常券とされた異常紙幣を振分部材１３４Ａによってリジェクト紙幣搬送路１３５側へと振り分ける。そして、異常紙幣は、リジェクト紙幣搬送路１３５から出金紙幣搬送路１３６を介して機外へ取出可能となるように紙幣出金口１２２に繰り出される。一方、振分部１３４は、真券且つ正常搬送券と識別された受入紙幣（正常と識別された紙幣）を振分部材１３４Ａによってそのまま入金紙幣搬送路１３１の下流側へと導く。紙幣入出金部１１は、この入金紙幣搬送路１３１の振分部１３４よりも下流側に、紙幣識別部１３２の識別結果に基づいて選別された紙幣を繰り出し可能に収納する入出金可能な複数具体的には三つの金種別のスタッカ１３８〜１４０を有している。
【００５２】
つまり、紙幣入出金部１１は、入金紙幣搬送路１３１の振分部１３４よりも下流側に、振分部材１４２Ａによって紙幣を分岐紙幣搬送路１４３側に振り分けて最も上流側のスタッカ１３８へと導く振分部１４２を有しており、入金紙幣搬送路１３１の振分部１４２よりも下流側に、振分部材１４４Ａによって紙幣を分岐紙幣搬送路１４５側に振り分けて中間のスタッカ１３９へと導く振分部１４４を有している。そして、入金紙幣搬送路１３１の振分部１４４よりも下流側には最も下流側のスタッカ１４０が接続されている。振分部１４２，１４４は、紙幣識別部１３２で正常と識別された貨幣を金種別にスタッカ１３８〜１４０に振り分ける。
【００５３】
スタッカ１３８は、上部から紙幣が一枚ずつ入金され、出金紙幣繰出部１３８ａが下部から紙幣を一枚ずつ分離して繰出紙幣搬送路１５０に繰り出す。スタッカ１３９も、上部から紙幣が一枚ずつ入金され、出金紙幣繰出部１３９ａが下部から紙幣を一枚ずつ分離して繰出紙幣搬送路１５１に繰り出す。スタッカ１４０も、上部から紙幣が一枚ずつ入金され、出金紙幣繰出部１４０ａが下部から紙幣を一枚ずつ分離して繰出紙幣搬送路１５２に繰り出す。
【００５４】
繰出紙幣搬送路１５０〜１５２は、上記した紙幣出金口１２２につながる出金紙幣搬送路１３６に接続されている。
【００５５】
紙幣入出金部１１は、出金紙幣搬送路１３６におけるリジェクト紙幣搬送路１３５の合流位置よりも下流側に設けられた振分部１５４と、出金紙幣搬送路１３６の振分部１５４の位置から分岐する分岐紙幣搬送路１５５とを有しており、この分岐紙幣搬送路１５５には上記した紙幣一時貯留部１２４が接続されている。振分部１５４は、振分部材１５４Ａによって紙幣一時貯留部１２４に一時貯留させるべき紙幣を分岐紙幣搬送路１５５側へ、またそれ以外の紙幣をそのまま出金紙幣搬送路１３６の下流側へと振り分ける。具体的に、金種別のスタッカ１３８〜１４０から繰り出された紙幣を振分部１５４が紙幣一時貯留部１２４に一時貯留させたり、紙幣入金口１２１から繰り出され、紙幣識別部１３２で正常と識別された紙幣のうち金種別のスタッカ１３８〜１４０に、環流しない非環流の紙幣を振分部１３４および振分部１５４が紙幣一時貯留部１２４に一時貯留させたりする。つまり、ここでは、紙幣識別部１３２で正常と識別された紙幣のうち出金用として収納しきれないオーバーフロー紙幣、出金用として使用しない１万円紙幣、取り扱いの少ない２千円紙幣および汚損紙幣を非環流の紙幣として紙幣一時貯留部１２４に直接案内する。
【００５６】
また、紙幣入出金部１１は、出金紙幣搬送路１３６における振分部１５４よりも下流側に設けられた振分部１５７と、出金紙幣搬送路１３６の振分部１５７の位置から分岐する分岐紙幣搬送路１５８とを有しており、この分岐紙幣搬送路１５８には紙幣を貯留する紙幣リジェクト庫１５９が接続されている。振分部１５７は、振分部材１５７Ａによって紙幣リジェクト庫１５９に収納させるべき紙幣を分岐紙幣搬送路１５８側へ、またそれ以外の紙幣をそのまま出金紙幣搬送路１３６の下流側つまり紙幣出金口１２２側へと振り分ける。
【００５７】
紙幣一時貯留部１２４は、上下に開口する略筒状の囲壁部１７０と、囲壁部１７０の下部開口を閉塞可能な一対の底板１７１とを有している。一対の底板１７１は、図１に示す開閉スライド部１７２によって水平状態を維持したまま、互いに近接・離間可能に設けられており、互いに離間する方向にスライドすることで、囲壁部１７０の下部開口を開き、互いに近接する方向にスライドすることで、囲壁部１７０の下部開口を閉じる。紙幣一時貯留部１２４には、昇降するプッシャ１７３と、このプッシャ１７３を昇降させる図１に示すプッシャ昇降部１７４とが設けられている。また、紙幣一時貯留部１２４の囲壁部１７０および一対の底板１７１は、紙幣の返却のため、一対の底板１７１を閉じた状態で機体から引き出し可能となっている。
【００５８】
紙幣一時貯留部１２４に一時貯留した紙幣を収納する紙幣収納庫１２５は、箱状の収納庫本体１８０と、紙幣一時貯留部１２４から落下する紙幣を収納庫本体１８０の上部の開口部１８１を介して受け取る揺動可能な一対のフラッパ１８２と、一対のフラッパ１８２の下側で昇降可能に設けられた載置板１８３とを有している。一対のフラッパ１８２は、図示略のスプリングの付勢力により水平状態に維持され、この状態から相互近接側が下方に位置するように揺動して開く。また、載置板１８３は図示略のスプリングによって上昇方向に付勢されており、紙幣を閉状態のフラッパ１８２との間に挟んで保持する。
【００５９】
紙幣の収納時には、開閉スライド部１７２によって一対の底板１７１を離間方向にスライドさせることで、一対の底板１７１上に一時貯留していた紙幣を囲壁部１７０の下部開口から落下させる。すると、この紙幣は、開口部１８１を介して紙幣収納庫１２５の閉状態のフラッパ１８２上に載置される。次に、プッシャ昇降部１７４がプッシャ１７３を下降させることになり、これにより、プッシャ１７３は、紙幣を介してフラッパ１８２を図示略のスプリングの付勢力に抗して開いて、紙幣をフラッパ１８２より下側に移動させて載置板１８３上またはその上にすでに収納されている紙幣上に載置させることになり、その後、プッシャ１７３が上昇すると、載置板１８３が図示略のスプリングの付勢力で紙幣を閉状態のフラッパ１８２との間で挟んで保持する。なお、紙幣収納庫１２５には、収納庫本体１８０の上部の開口部１８１を閉塞可能なシャッタ１８４が設けられており、紙幣収納庫１２５が紙幣入出金部１１に装填されると、この装填動作に連動してシャッタ１８４が開口部１８１を開き、紙幣収納庫１２５が紙幣入出金部１１から取り外されると、この取り外し動作に連動してシャッタ１８４が開口部１８１を閉じることになる。紙幣収納庫１２５は、この状態から図示せぬキーのキー操作によって図示せぬ扉を開くことにより中に収納された紙幣が取り出し可能となる。
【００６０】
さらに、紙幣入出金部１１は、紙幣搬送路１３１，１３５，１３６，１４３，１４５，１５０〜１５２，１５５，１５８に設けられて、搬送される紙幣の状態やタイミングを確認するための複数の紙幣検出センサ１９１〜２０２を有している。
【００６１】
紙幣検出センサ１９１は、入金紙幣搬送路１３１における入金紙幣繰出部１３０と紙幣識別部１３２との間にあって、入金紙幣繰出部１３０によって入金紙幣搬送路１３１上に一枚ずつ繰り出された紙幣を検出するものであり、紙幣検出センサ１９２は、リジェクト紙幣搬送路１３５における振分部１３４の直後位置にあって振分部１３４でリジェクト紙幣搬送路１３５に振り分けられた紙幣を検出するものである。
【００６２】
また、紙幣検出センサ１９３はスタッカ１３８の直前位置の分岐紙幣搬送路１４３にあって振分部１４２で振り分けられてスタッカ１３８に入金される紙幣を検出するものであり、紙幣検出センサ１９４はスタッカ１３９の直前位置の分岐紙幣搬送路１４５にあって振分部１４４で振り分けられてスタッカ１３９に入金される紙幣を検出するものであって、紙幣検出センサ１９５はスタッカ１４０の直前位置の入金紙幣搬送路１３１にあってスタッカ１４０に入金される紙幣を検出するものである。
【００６３】
さらに、紙幣検出センサ１９６はスタッカ１３８の直後位置の繰出紙幣搬送路１５０にあってスタッカ１３８から繰り出された紙幣を検出するものであり、紙幣検出センサ１９７はスタッカ１３９の直後位置の繰出紙幣搬送路１５１にあってスタッカ１３９から繰り出された紙幣を検出するものであり、紙幣検出センサ１９８はスタッカ１４０の直後位置の繰出紙幣搬送路１５２にあってスタッカ１４０から繰り出された紙幣を検出するものである。
【００６４】
加えて、紙幣検出センサ１９９は出金紙幣搬送路１３６の繰出紙幣搬送路１５０〜１５２よりも下流側にあってすべてのスタッカ１３８〜１４０から繰り出された紙幣を検出するものであり、紙幣検出センサ２００は紙幣一時貯留部１２４の直前位置の分岐紙幣搬送路１５５にあって振分部１５４で振り分けられて紙幣一時貯留部１２４に導入される紙幣を検出するものであって、紙幣検出センサ２０１は紙幣リジェクト庫１５９の直前位置の分岐紙幣搬送路１５８にあって振分部１５７で振り分けられて紙幣リジェクト庫１５９に導入される紙幣を検出するものである。さらに、紙幣検出センサ（確定手段，枚数判定手段）２０２は、出金紙幣搬送路１３６の紙幣出金口１２２と振分部１５７との間、つまり紙幣出金口１２２の近傍にあって、紙幣出金口１２２に繰り出される紙幣を検出するものである。言い換えれば、紙幣検出センサ２０２は、紙幣出金口１２２の近傍で紙幣の通過を検出して枚数を判定する。
【００６５】
紙幣検出センサ１９１〜２０２は、光学式センサであって、配置された場所における紙幣の残留検知のみならず、タイミングを計ったり、搬送の状況（重送、斜行等）を見たり、計数を行ったりと、複数の機能を有する。
【００６６】
紙幣入出金部１１には、図１に示すように、入金紙幣搬送路１３１および分岐紙幣搬送路１４３，１４５を駆動する入金紙幣搬送駆動部２０５と、出金紙幣搬送路１３６および繰出紙幣搬送路１５０〜１５２を駆動する出金紙幣搬送駆動部２０６と、リジェクト紙幣搬送路１３５および分岐紙幣搬送路１５５を駆動するリジェクト紙幣搬送駆動部２０７とが設けられている。
【００６７】
ここで、三つのスタッカ１３８〜１４０はすべて金種別とされ、例えば、千円券が、いずれも千円券専用のスタッカ１３８，１３９に、５千円券が５千円券専用のスタッカ１４０にそれぞれ収納されるようになっている。なお、スタッカ１３８〜１４０の金種設定はこれに限らず変更可能である。
【００６８】
図１に示すように、上記した硬貨入出金部１０と紙幣入出金部１１とを有する貨幣処理装置部１２には、これらの各部に接続されて各部を制御する処理装置制御部（認識手段，制御手段，登録手段）２１０と、制御データ等が記憶される処理装置記憶部（記憶手段）２１１と、認証操作等、操作者による操作入力が行われる処理装置操作部（入力手段）２１２と、操作者への表示を行う処理装置表示部２１３と、操作者への音声報知を行う処理装置報知部２１４と、コネクタ部１２ａに接続されて外部との通信を行う通信部（通信手段）２１５とが設けられている。処理装置操作部２１２には、操作を認証するための認証情報としての暗証番号等のパスワードや各種情報が入力される操作キーボードが設けられている。
【００６９】
操作端末装置部１３には、コネクタ部１３ａに接続され通信ケーブル１４を介して貨幣処理装置部１２の通信部２１５と通信する通信部（通信手段）２１９と、通信部２１９に接続される端末装置制御部（発行手段，認証手段，登録手段）２２０と、制御データ等が記憶される端末装置記憶部２２１と、貨幣の取引操作等、操作者による操作入力が行われる端末装置操作部（認証手段，登録手段）２２２と、操作者への表示を行う端末装置表示部２２３と、操作者への音声報知を行う端末装置報知部２２４と、紙面に印字を行うプリンタ２２５とが設けられている。
【００７０】
端末装置操作部２２２には、ＩＤカードに記憶された操作者ＩＤを読み取るカードリーダあるいは生体情報からなる操作者ＩＤを読み取る生体認証装置が設けられている。また、端末装置操作部２２２には、認証情報としてのパスワード等の各種情報が入力される操作キーボードが設けられている。
【００７１】
貨幣処理システム１は、運用モードと登録モードとで使用されることになるが、まず、運用モードについて説明する。
【００７２】
操作端末装置部１３では、端末装置表示部２２３に運用モードの初期画面として、図６（ａ）に示すように、操作者ＩＤの入力を促す表示を表示させている。この貨幣処理システム１を用いて後述する貨幣の各取扱い処理を行うにあたって、操作者は、上記運用モードでの初期画面の表示にしたがって、操作端末装置部１３の端末装置操作部２２２に、ＩＤカードを通すことでＩＤカードに記憶された操作者ＩＤ（例えば「Ａ００１」）を入力したり、あるいは生体情報からなる操作者ＩＤを入力することになる。
【００７３】
端末装置記憶部２２１には、貨幣処理システム１の運用モードでの操作が許諾された操作者ＩＤの一覧が記憶されており、また、操作者ＩＤ毎に、操作が許可される取扱い処理が予め記憶されている。端末装置制御部２２０は、端末装置操作部２２２に入力された操作者ＩＤ（例えば「Ａ００１」）が、端末装置記憶部２２１の、運用モードでの操作が許諾された操作者ＩＤの一覧に記憶されているか否を判断する。つまり、端末装置制御部２２０は、端末装置操作部２２２に入力された操作者の操作者ＩＤを含む認証を行う。操作者ＩＤが端末装置記憶部２２１の、操作が許諾された操作者ＩＤの一覧に記憶されている場合には、この操作者ＩＤに対応して端末装置記憶部２２１に記憶されている、操作が許可される取扱い処理を読み出し、これら取扱い処理の中から実行する取扱い処理を選択させる選択画面を端末装置表示部２２３に表示させて、端末装置操作部２２２への選択操作を待つ。
【００７４】
ここで、貨幣処理システム１で行う貨幣の取扱い処理は、基本的には、貨幣処理装置部１２内に貨幣を入金する入金処理と、貨幣処理装置部１２内から貨幣を外部に出金する出金処理と、これら入金処理および出金処理の組み合わせとに大別される。入金処理としては、担当者が顧客から代金引換で回収した代金を入金する代金入金処理、管理者が釣銭準備金を補充する釣銭準備金補充処理、担当者が売上金を収納する売上金収納処理等がある。出金処理としては、担当者が代金引換のための釣銭準備金を仮払いする仮払い処理、管理者が貨幣処理装置部１２内の貨幣を回収のためすべて出金する貨幣全回収処理、警備会社の売上金回収担当者が売上金を回収するため金庫ごと交換する金庫交換処理等がある。入金処理および出金処理の組み合わせとしては、管理者が入金した貨幣と同額の貨幣を出金する両替処理等がある。そして、操作者ＩＤによって操作が許可される取扱い処理が予め決められている。図６（ｂ）は、操作者ＩＤが管理者レベルであった場合の端末装置表示部２２３の選択画面であり、操作が許可される取扱い処理として、釣銭準備金補充処理と両替処理と貨幣全回収処理とが選択可能となっている。
【００７５】
端末装置表示部２２３の表示に基づいて、端末装置操作部２２２へ取扱い処理の選択がなされると、端末装置制御部２２０は、取扱い処理の種類に応じて設定されている必要情報の入力を促す画面を端末装置表示部２２３に表示させて、端末装置操作部２２２への必要情報の入力を待機する。必要情報としては、例えば、取扱い処理が出金処理である場合の出金させる貨幣の種別および種別毎の枚数等である。
【００７６】
操作者が、上記画面の表示にしたがって、端末装置操作部２２２に必要情報の入力を行うと、端末装置制御部２２０は、端末装置操作部２２２への操作入力に関連する操作者ＩＤ（例えば「Ａ００１」）と、貨幣の取扱い処理の種別を示すコマンドコード（例えば貨幣全回収処理を示すコマンドコード「５Ｂ」）と、入力された必要情報とを関連付けした通信データを、通信部２１９から通信ケーブル１４を通して貨幣処理装置部１２の通信部２１５に向けて発行する。
【００７７】
ここで、上記した操作端末装置部１３から貨幣処理装置部１２への通信データは、例えば、図７（ａ）に示すように、開始符号、コマンドコード、操作者ＩＤ、データフィールドおよび終了符号からなる電文データとなり、認証情報としてのパスワードは含まない。コマンドコードとしては、出金処理の金庫交換コマンドコードや、出金処理の貨幣全回収コマンドコード等がある。また、データフィールドには、出金処理にて出金させる貨幣の種別および種別毎の枚数等の指示データが適宜セットされる。
【００７８】
処理装置制御部２１０は、端末装置制御部２２０から通信ケーブル１４を通して発行され通信部２１５で受信した上記通信データを認識した際に、処理装置表示部２１３に、認証情報としてのパスワードの入力操作を促す表示を表示させる。操作者は、上記画面の表示にしたがって、処理装置操作部２１２に、認証情報としてのパスワード（例えば「５６７８」）を入力することになる。例えば、図６（ｃ）では、通信データに貨幣の取扱い処理としての貨幣全回収処理を示すコマンドコード（例えば「５Ｂ」）が含まれていた場合を示しており、貨幣全回収処理を実行する旨の表示と、パスワードの入力を促す表示とを表示させている。
【００７９】
ここで、処理装置記憶部２１１には、上記した通信データの中の少なくとも一部のデータである操作者ＩＤと、操作者ＩＤ毎に設定された認証情報であるパスワードとが予め関連付けされて記憶されている。そして、上記表示にしたがって処理装置操作部２１２にパスワードが入力されると、処理装置制御部２１０は、このパスワードの入力直前に認識した通信データの操作者ＩＤ（例えば「Ａ００１」）に対応して処理装置記憶部２１１に記憶されているパスワード（例えば「５６７８」）と、処理装置操作部２１２に入力されたパスワードとを比較し、これらが一致するか否かを判断する。
【００８０】
これらのパスワードが一致する場合、処理装置制御部２１０は、認識した通信データに基づいて貨幣の取扱い処理を制御する。例えば、通信データに貨幣の取扱い処理として貨幣全回収処理を示すコマンドコードが含まれていた場合は、貨幣全回収処理を行うことになる。ここで、処理装置制御部２１０は、端末装置制御部２２０から出力された通信データを認識した時点から所定時間内に、パスワードの一致を確認した場合には、通信ケーブル１４を通して操作端末装置部１３の端末装置制御部２２０に向けて、通信データを正常に受け付けた旨を応答する。
【００８１】
ここで、貨幣処理装置部１２から操作端末装置部１３への通信データは、例えば、図７（ｂ）に示すように、開始符号、レスポンス、データフィールドおよび終了符号からなる電文データとなり、パスワードは含まれない。レスポンスは、通信データを正常に受け付けた旨や、操作端末装置部１３から受けたコマンドコードに対する例えば肯定応答や否定応答等の応答結果や動作ステータス等がセットされる。データフィールドには、計数枚数等の結果データがある場合に、このデータがセットされる。
【００８２】
他方、パスワードが一致しない場合は、その旨のアラーム表示を処理装置表示部２１３に表示させて、パスワードの再入力を待機する。処理装置制御部２１０は、端末装置制御部２２０から出力された通信データを認識した時点から所定時間経過するまでにパスワードの一致を確認しなかった場合と、所定時間内であっても所定回数（例えば３回）連続してパスワードの一致を確認しなかった場合（不一致を確認した場合）とについては、認識した通信データに基づいての貨幣の取扱い処理を行うことなく、処理装置報知部２１４に警報を報知させるとともに、貨幣処理装置部１２から操作端末装置部１３への通信データにも通信データを正常に受け付けなかった旨を応答する。これを受けて、端末装置制御部２２０も端末装置報知部２２４に警報を報知させる。以上により、処理装置制御部２１０は、上記パスワードの一致を確認した場合のみ、認識した通信データに基づいて取扱い処理を制御することになる。
【００８３】
以下においては、上記した貨幣の取扱い処理を入金処理と出金処理とに分けて説明する。
【００８４】
〔入金処理〕
処理装置制御部２１０は、上記パスワードの一致を確認すると、端末装置制御部２２０を介して端末装置表示部２２３に、硬貨入金口１５への硬貨の投入、紙幣入金口１２１への紙幣の投入を促す表示を表示させる。硬貨入金口１５に硬貨が投入され、紙幣入金口１２１に紙幣が投入された状態で、端末装置操作部２２２に入金処理の開始操作が入力されると、端末装置制御部２２０を介してその旨の信号を受けて、処理装置制御部２１０は、硬貨入出金部１０については硬貨入金処理の硬貨入金案内処理を開始することになり、紙幣入出金部１１については紙幣入金処理の紙幣入金案内処理を開始することになる。
【００８５】
「硬貨入金案内処理」
処理装置制御部２１０は、入金硬貨繰出駆動部３２，３９を駆動して、ベルトコンベア３１および移送ベルト３７，３８を作動させ、硬貨入金口１５の硬貨をベルトコンベア３１および図示せぬ分離ローラで一枚ずつ分離して入金硬貨搬送部２７に繰り出し、移送ベルト３７，３８で入金硬貨搬送部２７に沿って搬送しつつ硬貨識別部４４で識別する。そして、硬貨識別部４４の識別結果に基づき、識別異常とされたリジェクト硬貨を、開閉リジェクト部４５によりリジェクト孔４６から落下させ硬貨リジェクト口１６に繰り出させることで、機外にリジェクトする。
【００８６】
他方、硬貨識別部４４の識別結果に基づき、正常な硬貨と識別された受入硬貨を、閉状態の開閉リジェクト部４５によってそのまま入金硬貨搬送部２７の下流側に移動させる。その結果、受入硬貨を、選別孔５３〜５８の対応するもので選別して硬貨出金収納部７０〜７５の対応するものに貯留する。つまり、１円硬貨であれば選別孔５３で硬貨出金収納部７０に貯留し、５０円硬貨であれば選別孔５４で硬貨出金収納部７１に貯留し、５円硬貨であれば選別孔５５で硬貨出金収納部７２に貯留し、１００円硬貨であれば選別孔５６で硬貨出金収納部７３に貯留し、１０円硬貨であれば選別孔５７で硬貨出金収納部７４に貯留し、５００円硬貨であれば選別孔５８で硬貨出金収納部７５に貯留する。なお、硬貨出金収納部７０〜７５の対応するものに貯留し切れないオーバーフロー硬貨は、開閉選別部５０を開いて硬貨一時貯留部１８に貯留させる。そして、処理装置制御部２１０は、硬貨識別部４４の識別結果つまり受入硬貨の金種毎の計数値をこの一の取引の取引識別情報に関連付けて処理装置記憶部２１１に一時的に記憶させる。
【００８７】
処理装置制御部２１０は、硬貨入金案内処理中に、入金硬貨繰出駆動部３２および入金硬貨搬送駆動部３９が駆動状態にあっても硬貨識別部４４によって硬貨が検出されない状態が所定時間以上になると、硬貨入金口１５に投入されたすべての硬貨を排出して硬貨出金収納部７０〜７５、硬貨一時貯留部１８および硬貨リジェクト口１６のいずれかに案内する硬貨入金案内処理が終了したと判定する。
【００８８】
「紙幣入金案内処理」
処理装置制御部２１０は、入金紙幣搬送駆動部２０５、リジェクト紙幣搬送駆動部２０７を駆動して、入金紙幣搬送路１３１、分岐紙幣搬送路１４３，１４５、リジェクト紙幣搬送路１３５、分岐紙幣搬送路１５５および出金紙幣搬送路１３６を作動させ、紙幣入金口１２１の紙幣を入金紙幣繰出部１３０で一枚ずつ分離して入金紙幣搬送路１３１に繰り出し、紙幣識別部１３２で識別する。そして、紙幣識別部１３２の識別結果に基づき、判別不能券または重送等の搬送異常券と識別された異常紙幣は、振分部１３４にて入金紙幣搬送路１３１からリジェクト紙幣搬送路１３５に振り分けられ、さらに振分部１５４および振分部１５７にて出金紙幣搬送路１３６を介して紙幣出金口１２２に繰り出されることで、機外に取出可能にリジェクトされる。
【００８９】
他方、紙幣識別部１３２の識別結果に基づき、振分部１３４は、真券かつ搬送正常券と識別された受入紙幣のうち千円券および五千円券をそのまま入金紙幣搬送路１３１の下流側に導き、スタッカ１３８〜１４０および紙幣一時貯留部１２４のうちの対応するいずれかに上部から収納する。つまり、千円券であれば、振分部１４２で振り分けて分岐紙幣搬送路１４３からスタッカ１３８に収納し、または振分部１４２および振分部１４４で振り分けて分岐紙幣搬送路１４５からスタッカ１３９に収納し、５千円券であれば、振分部１４２および振分部１４４で振り分けて入金紙幣搬送路１３１を介してスタッカ１４０に収納する。なお、スタッカ１３８〜１４０に収納しきれないオーバーフロー紙幣と、環流使用しない万円券と、取り扱い数が最少の２千円券と、汚損券とについては、振分部１３４にて入金紙幣搬送路１３１からリジェクト紙幣搬送路１３５に振り分け、さらに振分部１５４にて分岐紙幣搬送路１５５に振り分けて、紙幣一時貯留部１２４に一時貯留する。ここで、処理装置制御部２１０は、紙幣識別部１３２の識別結果つまり受入紙幣の金種毎の紙幣の計数値をこの一の取引の取引識別情報に関連付けて処理装置記憶部２１１に一時的に記憶させる。
【００９０】
そして、処理装置制御部２１０は、紙幣入金案内処理中に、紙幣検出センサ１９１〜１９５，２００，２０２のいずれによっても紙幣が検出されない状態が所定時間以上になると、紙幣入金口１２１からすべての紙幣を排出してスタッカ１３８〜１４０、紙幣一時貯留部１２４および紙幣出金口１２２のいずれかに案内する紙幣入金案内処理が終了したと判定する。
【００９１】
硬貨入金案内処理および紙幣入金案内処理が共に終了したと判定すると、処理装置制御部２１０は、今回の一の取引での硬貨入金案内処理における硬貨識別部４４の計数結果と、今回の一の取引での紙幣入金案内処理の紙幣識別部１３２の計数結果とを端末装置制御部２２０に送信する。すると、端末装置制御部２２０は、これらの計数結果を端末装置表示部２２３に表示させ、その後の処理を促す表示を行う。すなわち、入金取消処理をするか、入金確定処理をするかを問う。
【００９２】
上記した入金取消処理をするか、入金確定処理をするかの問いに対して、操作者が、承認操作入力である入金確定処理の選択操作を端末装置操作部２２２に入力すると、端末装置制御部２２０が処理装置制御部２１０にその旨の信号を出力し、これを受けて処理装置制御部２１０は、硬貨入出金部１０において硬貨収納案内処理を行い、紙幣入出金部１１において紙幣収納案内処理を行って、処理装置記憶部２１１に一時的に記憶させていた今回の入金処理の硬貨および紙幣の計数値を確定して処理装置記憶部２１１に記憶するとともに、端末装置制御部２２０に出力し、端末装置制御部２２０がこれらの計数値を端末装置記憶部２２１に記憶する。
【００９３】
「硬貨収納案内処理」
処理装置制御部２１０は、硬貨一時貯留部１８に硬貨がある場合、硬貨一時貯留部１８の壁スライド部９７により囲壁部９５をシュート９９側にスライドさせ、底板スライド部９８により底板９６をシュート９９とは反対方向にスライドさせることで、硬貨をシュート９９を介して硬貨収納庫２０に収納する。その後、処理装置制御部２１０は、硬貨一時貯留部１８を待機位置に戻して硬貨入出金部１０における硬貨入金処理を終了する。
【００９４】
「紙幣収納案内処理」
処理装置制御部２１０は、紙幣一時貯留部１２４に紙幣があれば、開閉スライド部１７２によって一対の底板１７１を離間方向にスライドさせることで、一対の底板１７１上に一時貯留していた紙幣を囲壁部１７０の下部開口から落下させてフラッパ１８２上に載置させる。次に、処理装置制御部２１０は、プッシャ昇降部１７４によりプッシャ１７３を下降させ、プッシャ１７３により一対のフラッパ１８２上の紙幣を下方に押圧して、一対のフラッパ１８２を開き、紙幣を一対のフラッパ１８２より下側に移動させて載置板１８３上またはその上にすでに収納されている紙幣上に載置させることになり、その後、プッシャ昇降部１７４によりプッシャ１７３を待機位置まで上昇させる。すると、載置板１８３が図示略のスプリングの付勢力で紙幣を閉状態のフラッパ１８２との間で挟んで保持する。処理装置制御部２１０は、プッシャ１７３が待機位置に戻ると、紙幣入出金部１１における紙幣入金処理を終了する。
【００９５】
上記した入金取消処理をするか、入金確定処理をするかの問いに対して、操作者が、承認操作入力ではない入金取消処理の選択操作を端末装置操作部２２２に入力すると、端末装置制御部２２０が処理装置制御部２１０にその旨の信号を出力し、これを受けて処理装置制御部２１０は、硬貨入出金部１０について硬貨返却案内処理を行うとともに、紙幣入出金部１１について紙幣返却案内処理を行う。
【００９６】
「硬貨返却案内処理」
処理装置制御部２１０は出金硬貨搬送駆動部７９を駆動してベルトコンベア７７を作動させ、硬貨出金収納部７０〜７５に入金された金額と同金額の入金された硬貨とは別の硬貨を硬貨出金収納部７０〜７５から出金計数センサ７０Ａ〜７５Ａで金種を識別し計数しつつ出金硬貨搬送駆動部７９およびソレノイド８０〜８５によってシュート部９０に繰り出させ、振分部９２で硬貨出金口１７に繰り出させるとともに、硬貨一時貯留部１８に硬貨がある場合、硬貨一時貯留部１８の壁スライド部９７により囲壁部９５を返却箱１９側にスライドさせ、底板スライド部９８により底板９６を返却箱１９とは反対方向にスライドさせることで、硬貨を返却箱１９に返却する。そして、返却に必要な枚数の硬貨が硬貨出金口１７に繰り出され貯留されたことが出金計数センサ７０Ａ〜７５Ａの計数により検出され、硬貨一時貯留部１８に硬貨がある場合、その硬貨が返却箱１９に返却されるのに十分な時間が経過すると、処理装置制御部２１０は、硬貨返却案内処理が終了したと判定し、処理装置記憶部２１１に一時的に記憶させていた今回の入金処理の硬貨の計数値を消去して、硬貨入金処理を終了する。これに対し、操作者は、硬貨出金口１７および返却箱１９に返却された硬貨を取り出すことになる。
【００９７】
「紙幣返却案内処理」
処理装置制御部２１０は、リジェクト紙幣搬送駆動部２０７および出金紙幣搬送駆動部２０６を駆動して、リジェクト紙幣搬送路１３５、出金紙幣搬送路１３６および繰出紙幣搬送路１５０〜１５２を作動させ、スタッカ１３８〜１４０に入金された金額と同金額の入金された紙幣とは別の紙幣をスタッカ１３８〜１４０から出金紙幣繰出部１３８ａ，１３９ａ，１４０ａによって出金紙幣搬送路１３６に繰り出させ、振分部１５４および振分部１５７で振り分けて紙幣出金口１２２に繰り出させるとともに、紙幣一時貯留部１２４の囲壁部１７０および一対の底板１７１を、機体から引き出し可能とする。これに対し、操作者は、紙幣出金口１２２および紙幣一時貯留部１２４から紙幣を取り出すことになる。なお、返却動作中に紙幣検出センサ１９６〜１９９でスタッカ１３８〜１４０から繰り出される紙幣の中に重送等の搬送異常券が検出されると、搬送異常券を振分部１５７で分岐紙幣搬送路１５８側に振り分けて紙幣リジェクト庫１５９に収納する。そして、返却に必要な枚数の紙幣が紙幣出金口１２２に繰り出され貯留されたことが紙幣検出センサ２０２の計数により検出され、紙幣一時貯留部１２４の囲壁部１７０および一対の底板１７１から紙幣が取り出されたことが検出されると、処理装置制御部２１０は、紙幣返却案内処理が終了したと判定し、処理装置記憶部２１１に一時的に記憶させていた今回の入金処理の紙幣の計数値を消去して、紙幣入金処理を終了する。これに対し、操作者は、紙幣出金口１２２に返却された紙幣を取り出すとともに、紙幣一時貯留部１２４から紙幣を取り出すことになる。
【００９８】
〔出金処理〕
処理装置制御部２１０は、上記パスワードの一致を確認すると、端末装置制御部２２０から発行された通信データに基づき、硬貨入出金部１０については硬貨出金処理を開始することになり、紙幣入出金部１１については紙幣出金処理を開始することになる。
【００９９】
「硬貨出金処理」
処理装置制御部２１０は、出金硬貨搬送駆動部７９を駆動して、ベルトコンベア７７を作動させ、端末装置制御部２２０から発行された通信データに含まれる金種および数量で硬貨を出金させるように、出金計数センサ７０Ａ〜７５Ａで金種を識別し計数しつつ硬貨出金収納部７０〜７５の対応するものから硬貨を出金硬貨搬送駆動部７９およびソレノイド８０〜８５によってシュート部９０に繰り出させ、閉状態の振分部９２で硬貨出金口１７に案内する。そして、端末装置制御部２２０から発行された通信データに含まれる金種および数量の硬貨が硬貨出金口１７に繰り出されたことが出金計数センサ７０Ａ〜７５Ａの計数により検出されると、処理装置制御部２１０は、硬貨出金処理が終了したと判定する。
【０１００】
「紙幣出金処理」
処理装置制御部２１０は、リジェクト紙幣搬送駆動部２０７および出金紙幣搬送駆動部２０６を駆動して、リジェクト紙幣搬送路１３５、出金紙幣搬送路１３６および繰出紙幣搬送路１５０〜１５２を作動させ、端末装置制御部２２０から発行された通信データに含まれる金種および数量の紙幣を出金させるように、紙幣検出センサ１９６〜１９８で計数しつつスタッカ１３８〜１４０の対応するものから紙幣を、出金紙幣繰出部１３８ａ〜１４０ａで、繰出紙幣搬送路１５０〜１５２の対応するものに繰り出させて、振分部１５４および振分部１５７で振り分けて、出金紙幣搬送路１３６およびリジェクト紙幣搬送路１３５によって紙幣出金口１２２に案内する。なお、出金動作中に紙幣検出センサ１９７〜１９９で多重搬送等の搬送異常紙幣が検出されると、この搬送異常紙幣を振分部１５７で振り分けて紙幣リジェクト庫１５９に収納させる。そして、端末装置制御部２２０から発行された通信データに含まれる金種および数量の紙幣が紙幣出金口１２２に繰り出され貯留されたことが紙幣検出センサ２０２の計数により検出されると、処理装置制御部２１０は、紙幣出金処理が終了したと判定する。
【０１０１】
次に、登録モードについて説明する。操作端末装置部１３の端末装置操作部２２２によって登録モードが選択操作されると、貨幣処理装置部１２では、処理装置記憶部２１１に、上記した通信データの中の少なくとも一部のデータである操作者ＩＤと、操作者ＩＤ毎に設定された認証情報であるパスワードとを予め関連付けて記憶することになる。つまり、端末装置操作部２２２において、登録モードを実行する旨の操作入力がなされると、端末装置制御部２２０は、登録モードの初期画面として、図８（ａ）に示すように、端末装置表示部２２３に操作者ＩＤ（例えば「Ａ００１」）の入力を促す表示を表示させる。操作者は、上記表示にしたがって、端末装置操作部２２２に、ＩＤカードに記憶された操作者ＩＤあるいは生体情報からなる操作者ＩＤを入力することになる。
【０１０２】
ここで、端末装置記憶部２２１には、登録モードの実行が許諾された操作者ＩＤの一覧が予め記憶されており、端末装置制御部２２０は、端末装置操作部２２２に入力された操作者ＩＤが、端末装置記憶部２２１の登録モードの実行が許諾された操作者ＩＤの一覧に記憶されているか否を判断する。入力された操作者ＩＤが、登録モードの実行が許諾された操作者ＩＤの一覧に記憶されている場合に、端末装置制御部２２０は、端末装置表示部２２３に、図８（ｂ）に示すように、入力された操作者ＩＤ（例えば「Ａ００１」）を表示させるとともに、この操作者ＩＤに一対一で対応するパスワードの設定入力を促す表示を表示させる。すると、操作者は、パスワード（例えば「５６７８」）を端末装置操作部２２２に入力することになる。
【０１０３】
パスワードが端末装置操作部２２２に入力されると、端末装置制御部２２０は、操作者ＩＤとパスワードとを関連付けて貨幣処理装置部１２に送信する。すると、処理装置制御部２１０が、処理装置記憶部２１１に、今回の登録モードで入力された操作者ＩＤ（例えば「Ａ００１」）とパスワード（例えば「５６７８」）とを関連付けて記憶する。
【０１０４】
他方、端末装置操作部２２２に入力された操作者ＩＤが、端末装置記憶部２２１の登録モードの実行が許諾された操作者ＩＤの一覧に記憶されていない場合には、その旨のアラーム表示を端末装置表示部２２３に表示させた後、端末装置表示部２２３を登録モードの初期画面に戻す。なお、登録モードの実行が許諾された操作者ＩＤは、一般の担当者ＩＤよりもレベルが高い管理者の管理者ＩＤとなっており、よって、登録モードの実行には、少なくとも管理者ＩＤを必要とすることになる。
【０１０５】
なお、登録モードとして、貨幣処理装置部１２において、処理装置表示部２１３を用いて上記と同様に案内しつつ、処理装置操作部２１２で操作者ＩＤの入力を行わせ、入力された操作者ＩＤが、処理装置記憶部２１１に記憶された登録モードの実行が許諾された操作者ＩＤと一致する場合にパスワードの入力を行わせて、これら操作者ＩＤおよびパスワードを処理装置記憶部２１１に記憶するようにしても良い。
【０１０６】
以上に述べた本実施形態の貨幣処理システム１によれば、操作端末装置部１３に操作入力が行われると、操作端末装置部１３は、当該操作入力に関連する通信データを端末装置制御部２２０が通信部２１９および通信ケーブル１４を通して貨幣処理装置部１２に向けて発行し、貨幣処理装置部１２が、通信部２１５を介して処理装置制御部２１０によって上記の通信データを認識することになる。貨幣処理装置部１２には、処理装置記憶部２１１に、通信データの中の少なくとも一部のデータである操作者ＩＤに対応する認証情報としてのパスワードが予め記憶されており、処理装置操作部２１２に認証情報であるパスワードが入力されると、処理装置制御部２１０が、認識した通信データの中の操作者ＩＤに対応して処理装置記憶部２１１に記憶されたパスワードと、処理装置操作部２１２に入力されたパスワードとを比較し、これらパスワードの一致を確認した場合のみ、認識した通信データに基づいて取扱い処理を行うことになる。つまり、本実施形態の貨幣処理システム１では、通信データに対応して登録された認証情報であるパスワードの一致確認の仕組みを貨幣処理装置部１２側に設けている。よって、仮に、操作端末装置部１３にかえて通信シミュレータに通信ケーブル１４を繋ぎ替えて通信データを盗聴し解析する等の不正操作があったとしても、貨幣処理装置部１２単独での認証がない限り、取扱い処理を行うことはない。つまり、不正な操作を完遂できなくなり、セキュリティ性を向上させることができる。また、貨幣処理装置部１２に、通信データの中の操作者ＩＤに対応するパスワードを予め記憶する処理装置記憶部２１１と、パスワードが入力される処理装置操作部２１２とを設けるとともに、処理装置制御部２１０に、これらパスワードの一致を確認する機能を持たせれば良く、通信データを暗号化・複合化する等に比べて、比較的小さな開発工数によってセキュリティ性を向上させることができ、開発工数の負担を軽減できる。勿論、複数の担当者、管理者、警備会社の担当者等の各々全員の操作者ＩＤに対応して、セキュリティ効果が生じることになる。
【０１０７】
また、パスワードと関連付けされる通信データの中の少なくとも一部として、操作端末装置部１３を使用する上で本来必要な操作者ＩＤを用いるため、パスワードと関連付けされる専用のデータが不要であり、操作端末装置部１３への入力の負担を軽減できる。
【０１０８】
また、処理装置制御部２１０が、操作端末装置部１３から通信データを認識した時点から所定時間内に、上記した認証情報であるパスワードの一致を確認した場合には、操作端末装置部１３に向けて、通信データを正常に受け付けた旨を応答するため、操作端末装置部１３側でも操作結果が正常であったを確認でき、異常時には異常を報知できる。
【０１０９】
また、処理装置制御部２１０が、操作端末装置部１３から通信データを認識した時点から、所定時間内に上記した認証情報であるパスワードの一致を確認しなかった場合、または所定回数連続して上記した認証情報であるパスワードの一致を確認しなかった場合（不一致を確認した場合）には、処理装置報知部２１４が警報を報知することになる。したがって、それ以上不正に操作されることを防止することができる。
【０１１０】
また、登録モードにおいて、処理装置制御部２１０が、認証情報であるパスワードと通信データの中の少なくとも一部のデータである操作者ＩＤとを関連付けて処理装置記憶部２１１に記憶させるため、登録モードにおいて、明確に認証情報であるパスワードと通信データの少なくとも一部のデータである操作者ＩＤとを関連付けて処理装置記憶部２１１に記憶させることができる。
【０１１１】
また、登録モードの実行には、少なくとも管理者ＩＤを必要とするため、登録の際のセキュリティ性が高まる。
【０１１２】
なお、以上の実施形態においては、処理装置制御部２１０が、端末装置制御部２２０が発行する通信データの中の少なくとも一部のデータとしての操作者ＩＤに対応して処理装置記憶部２１１に記憶されたパスワードと、処理装置操作部２１２に入力された認証情報であるパスワードとの一致を確認する場合を例にとり説明したが、通信データの中の少なくとも一部のデータに対応して処理装置記憶部２１１に記憶されたパスワードと、処理装置操作部２１２に入力された認証情報であるパスワードとの一致を確認すれば良い。例えば、通信データの中の少なくとも一部のデータとして、操作者ＩＤ以外に、上記した取扱い処理の種類を示す特定の処理情報であるコマンドコードを用いても良い。
【０１１３】
この場合は、上記した登録モードにおいて、操作者ＩＤが端末装置操作部２２２に入力されると、この操作者ＩＤが、登録モードの実行が許諾された操作者ＩＤである場合に、端末装置制御部２２０は、端末装置表示部２２３に、操作者ＩＤ（例えば「Ａ００１」）を表示させるとともに、この操作者ＩＤに対して許可された各取扱い処理を表示させて、選択入力を促す表示を表示させる。例えば、操作者ＩＤが管理者レベルの場合、「釣銭準備金補充処理」、「両替処理」および「貨幣全回収処理」を表示させ、これらの中から選択入力を促す表示を表示させる。表示された各取扱い処理の中から、適宜の取扱い処理（例えば「貨幣全回収処理」）が選択されると、端末装置制御部２２０は、選択された取扱い処理のコマンドコード（例えば「貨幣全回収処理」を示す「５Ｂ」）と、端末装置操作部２２２に入力された認証情報であるパスワード（例えば「５６７８」）とを関連付けして処理装置制御部２１０に出力し、処理装置制御部２１０がこれらコマンドコードおよびパスワードを関連付けして処理装置記憶部２１１に記憶する。つまり、認証情報であるパスワードと通信データの中の少なくとも一部のデータであるコマンドコードとを関連付けて処理装置記憶部２１１に記憶させることになる。
【０１１４】
そして、処理装置制御部２１０は、端末装置制御部２２０が発行する通信データを認識した際に、この通信データの中のコマンドコードに対応して処理装置記憶部２１１に記憶されているパスワードと、処理装置操作部２１２に入力されたパスワードとを比較し、これらの一致を確認した場合のみ、端末装置制御部２２０が発行した通信データに基づいて上記コマンドコードの取扱い処理を制御することになる。この場合も、認証情報であるパスワードと関連付けされる専用のデータが不要となり、操作端末装置部１３への入力の負担を軽減できる。この場合には、操作端末装置部１３から貨幣処理装置部１２への通信データに操作者ＩＤが含まなくても良い。
【０１１５】
また、上記のように、処理装置制御部２１０が、端末装置制御部２２０が発行する通信データを認識すると、通信データの中の少なくとも一部のデータとしての操作者ＩＤに対応して処理装置記憶部２１１に記憶されたパスワードと、処理装置操作部２１２に入力されたパスワードとの一致を確認し、その後、例えば、出金処理の金庫交換処理時や貨幣の全回収処理時等、必要な処理を実行する際に、再度、上記コマンドコードに対応するパスワードの一致を確認するようにしても良い。
【０１１６】
また、認証情報としてパスワードにかえて指紋認証や静脈認証等の生体認証ＩＤを用いても良い。つまり、通信データの中の少なくとも一部のデータである操作者ＩＤに対応して処理装置記憶部２１１に記憶された生体認証ＩＤと、処理装置操作部２１２に入力された認証情報である生体認証ＩＤとを比較し、これらの一致を確認した場合のみ、端末装置制御部２２０が発行した通信データに基づいて取扱い処理を制御するようにしても良い。
【０１１７】
また、以上の実施形態においては、入金処理および出金処理の両方の処理において、処理装置制御部２１０が、端末装置制御部２２０が発行する通信データの中の操作者ＩＤに対応して処理装置記憶部２１１に記憶されたパスワードと、処理装置操作部２１２に入力されたパスワードとの一致を確認する場合を例にとり説明したが、処理装置制御部２１０は、入金処理および出金処理のうち、貨幣を機内から機外へ移動させる出金処理である場合に限り、上記した認証情報であるパスワードの一致の確認を行い、パスワードの一致を条件として出金処理を行うようにしても良い。このように構成すれば、貨幣処理装置部１２の在り高が減少する制御のみが保護対象になり、簡略化して運用することができる。
【符号の説明】
【０１１８】
１  貨幣処理システム
１２  貨幣処理装置部（貨幣処理部）
１３  操作端末装置部（操作端末部）
１４  通信ケーブル（通信手段）
２１０  処理装置制御部（認識手段，制御手段，登録手段）
２１１  処理装置記憶部（記憶手段）
２１２  処理装置操作部（入力手段）
２１５  通信部（通信手段）
２１９  通信部（通信手段）
２２０  端末装置制御部（発行手段，認証手段，登録手段）
２２２  端末装置操作部（認証手段，登録手段）
【図１】
0005885556.tif 000002
【図２】
0005885556.tif 000003
【図３】
0005885556.tif 000004
【図４】
0005885556.tif 000005
【図５】
0005885556.tif 000006
【図６】
0005885556.tif 000007
【図７】
0005885556.tif 000008
【図８】
0005885556.tif 000009